(57)【要約】【課題】碍子連の取替作業の短縮化を図ることができ取替方法を提供する。【解決手段】ビーム２，２間に母線３の両端部がＶ字形の一対の碍子連４，４を介して張架され、各碍子連４の一端部はビーム２に繋がれ、その他端部は母線３の端部に連結された引止金具８に繋がれた碍子連４の取替方法である。先ず、Ｖ字形の両碍子連４，４のビーム側端部とビームとの間に作業用緊張ワイヤー１９を張架し、一方の碍子連４のビーム側端部に碍子交換具１８を取り付け、クレーンＫで吊り上げた碍子連吊り枠体１０の短い脚杆１３に吊支し、母線側端部に碍子交換具１８を取り付けて長い脚杆１４に吊支し、その後碍子連４の両端部を碍子連吊り枠体１０で吊支したまま地上に下ろした後、新しい碍子連４を碍子連吊り枠体１０に吊支してクレーンＫで吊り上げ、新しい碍子連４の母線側端部を引止金具８にボルト９で繋ぎ、ビーム側端部とビーム２の間に作業用緊張ワイヤー１９を張架した後、ビーム側端部をビーム２に繋ぎ、碍子連吊り枠体１０を外す。【選択図】図６
2008148424.tif 000002
【特許請求の範囲】
【請求項１】
変電所において対向するビーム間に母線の両端部が夫々平面視Ｖ字形に配置される一対の碍子連を介して張架され、各碍子連の一端部はビームにボルトで繋がれ、その他端部は母線の端部に連結された引止金具にボルトで繋がれている碍子連の取替方法であって、
下部側の水平材と上部側の長さの等しい２つの斜材とを三角形に組み付ける共に、水平材の両端部に長さの長短異なる脚杆を垂下連結してなる碍子連吊り枠体を設けておいて、先ず、Ｖ字形の両碍子連の夫々ビーム側端部とビームとの間に夫々作業用緊張ワイヤーを張架し、この状態で、Ｖ字形の何れか一方の碍子連のビーム側端部に碍子交換具を取り付けて、クレーンで吊り上げた碍子連吊り枠体の短い方の脚杆に吊支すると共に、同碍子連の母線側端部に碍子交換具を取り付けて、長い方の脚杆に吊支し、その後、この碍子連の両端部をビーム及び引止金具から切り離して、碍子連吊り枠体で吊支したまま地上に下ろして取り外した後、新しい碍子連を碍子連吊り枠体に上記同様に吊支してクレーンで吊り上げ、新しい碍子連の母線側端部を引止金具にボルトで繋ぎ、そのビーム側端部とビームとの間に作業用緊張ワイヤーを張架した後、このビーム側端部をビームにボルトで繋ぎ、碍子連吊り枠体を外すことによって、Ｖ字形の何れか一方の碍子連を取り替えるようにした碍子連の取替方法。
【請求項２】
碍子連吊り枠体の水平材には両脚杆の間に吊支用ロープを所定間隔おきに複数垂下しておいて、碍子連の両端部を夫々碍子交換具を介して水平材の両脚杆に吊支する時に、上記吊支用ロープで碍子連の中間部を吊支するようにした請求項１に記載の碍子連の取替方法。
【請求項３】
作業用緊張ワイヤーには張線器を介装している請求項１又は２に記載の碍子連の取替方法。
【発明の詳細な説明】
【技術分野】
【０００１】
本発明は、対向するビーム間に母線の両端部が平面視Ｖ字形の一対の碍子連（２個以上の碍子を直列に連結して可撓性をもたせて構成された一連の碍子）を介して張架されている変電所において、古くなったり破損したりして使用できなくなった、又はこれ以上使用するのが好ましくなくなった碍子連を取り替える方法に関するもので、特に重量が例えば５００ｋｇといった大型の碍子連を取り替えるのに好適な取替方法に関する。
【背景技術】
【０００２】
従来の碍子連の取替方法として特許公報等の具体的な公知文献を挙げることはできないが、従来、碍子連を取り替えるのに、取り替えるべき碍子連に碍子交換具を取り付けて、この碍子交換具をクレーンのフックで直接吊り上げるという方法を採っていたことから、１つの碍子連に対する碍子交換具の取付け・取外しを何回も行なう必要があって、高所での作業能率が悪く、碍子連の取替えに非常な手間と時間がかかっていた。
【発明の開示】
【発明が解決しようとする課題】
【０００３】
本発明は、碍子連の取替作業の短縮化を図ることができ、特に大型の碍子連を取り替えるのに好適な取替方法を提供することを目的とする。
【課題を解決するための手段】
【０００４】
上記課題を解決するための手段を、後述する実施形態の参照番号を付して説明すると、請求項１に係る発明は、変電所において対向するビーム２，２間に母線３の両端部が夫々平面視Ｖ字形に配置される一対の碍子連４，４を介して張架され、各碍子連４の一端部はビーム２にボルト６，７で繋がれ、その他端部は母線３の端部に連結された引止金具８にボルト９で繋がれている碍子連４の取替方法であって、
下部側の水平材１１と上部側の長さの等しい２つの斜材１２，１２とを三角形に組み付ける共に、水平材１１の両端部に長さの長短異なる脚杆１３，１４を垂下連結してなる碍子連吊り枠体１０を設けておいて、先ず、Ｖ字形の両碍子連４，４の夫々ビーム側端部とビームとの間に夫々作業用緊張ワイヤー１９を張架し、この状態で、Ｖ字形の何れか一方の碍子連４のビーム側端部に碍子交換具１８を取り付けて、クレーンＫで吊り上げた碍子連吊り枠体１０の短い方の脚杆１３に吊支すると共に、同碍子連４の母線側端部に碍子交換具１８を取り付けて、長い方の脚杆１４に吊支し、その後、この碍子連４の両端部をビーム２及び引止金具８から切り離して、碍子連吊り枠体１０で吊支したまま地上に下ろして取り外した後、新しい碍子連４を碍子連吊り枠体１０に上記同様に吊支してクレーンＫで吊り上げ、新しい碍子連４の母線側端部を引止金具８にボルト９で繋ぎ、そのビーム側端部とビーム２の間に作業用緊張ワイヤー１９を張架した後、このビーム側端部をビーム２にボルト６，７で繋ぎ、碍子連吊り枠体１０を外すことによって、Ｖ字形の何れか一方の碍子連４を取り替えるようにしたことを特徴とする。
【０００５】
請求項２は、請求項１に記載の碍子連の取替方法において、碍子連吊り枠体１０の水平材１１には両脚杆１３，１４の間に吊支用ロープ１７を所定間隔おきに複数垂下しておいて、碍子連４の両端部を夫々碍子交換具１８を介して水平材１１の両脚杆１３，１４に吊支する時に、上記吊支用ロープ１７で碍子連４の中間部を吊支するようにしたことを特徴とする。
【０００６】
請求項３は、請求項１又は２に記載の碍子連の取替方法において、作業用緊張ワイヤー１９には張線器２０を介装していることを特徴とする。
【発明の効果】
【０００７】
上記解決手段による発明の効果を、後述する実施形態の参照番号を付して説明すると、請求項１に係る発明によれば、従来の取替方法に比べると、碍子連の取替作業を大幅に短縮することができる。特に本発明の取替方法は、碍子連吊り枠体１０を使用するもので、Ｖ字形の両碍子連４，４の夫々ビーム側端部とビームとの間に夫々作業用緊張ワイヤー１９を張架した状態で、Ｖ字形の何れか一方の碍子連４のビーム側端部に碍子交換具１８を取り付けて、クレーンＫで吊り上げた碍子連吊り枠体１０の短い方の脚杆１３に吊支すると共に、同碍子連４の母線側端部に碍子交換具１８を取り付けて長い方の脚杆１４に吊支ようにするから、古い碍子連４の両端部をビーム２及び引止金具８から取り外し時には、この古い碍子連４を、設置時と同じ姿勢・位置に碍子連吊り枠体１０によって吊支でき、また新しい碍子連４を取り付ける時も、新しい碍子連４を、設置時と同じ姿勢・位置に碍子連吊り枠体１０によって吊支でき、これにより碍子連４の両端部のボルト６，７及び９の取外し及び取付け作業を容易に行なうことができ、従って例えば５００ｋｇというような大型の碍子連を取り替えるのに好適となる。
【０００８】
請求項２に係る発明によれば、碍子連吊り枠体１０の水平材１１には両脚杆１３，１４の間に吊支用ロープ１７を所定間隔おきに複数垂下しておいて、碍子連４の両端部を夫々碍子交換具１８を介して水平材１１の両脚杆１３，１４に吊支する時に、上記吊支用ロープ１７で碍子連４の中間部を吊支するようにしたから、可撓性に構成されている碍子連４の中間部の垂れを無くし、碍子連４の破損を防止することができる。
【０００９】
請求項３に係る発明によれば、作業用緊張ワイヤー１９には張線器２０を介装しているから、張線器２０のハンドル２０ｏを揺動操作することによって、ワイヤー１９を容易且つ迅速にに緊張させることができる。
【発明を実施するための最良の形態】
【００１０】
以下に本発明の好適な実施形態について図面を参照しながら説明すると、図１は変電所設備の一部を示す正面図であり、図２の(a) は図１の一部拡大正面図、(b) はその平面図、(c) は(b) の矢印Ｘで囲まれる部分の拡大図である。これらの図において１は、変電所敷地内に所定間隔おきに立設されたポストで、各ポスト１の所要高さ位置にビーム２が設けてあり、所定距離を隔てたポスト１，１の対向するビーム２，２間には、母線３の両端部が夫々、図２の(b) に示すように平面視Ｖ字形に配置された一対の碍子連４，４を介して張架され、各ビーム２の端部は、図１に示すような通電線５によって、他のビーム２，２間の母線３に電気的に接続されている。
【００１１】
各碍子連４の一端部は、図６や図７示すように、アイボルト６とＵボルト７とによってビーム２に繋がれ、その他端部は、取付用のボルト９によって、母線３の端部に連結された引止金具８で繋がれている（図２の(b) ，(c) 参照）。碍子連４の一端部をビーム２に繋ぐアイボルト６は、碍子連４の一端部に同軸状にねじ込まれて固定され、このアイボルト６のリング部に通されたＵボルト７がビーム２に対し取り外し可能に取付け固定されるようになっている。
【００１２】
各碍子連４は、図３の(a) に示すように、例えば３０個のセラミック製の碍子４ａを、それらの間に夫々金属製の連結軸体４ｂを介在させた状態で直列に連結することによって可撓性を有するように構成された一連の絶縁性碍子４ａ…であり、その重量は５００ｋｇ程度となっている。
【００１３】
本発明の取替方法の特徴は、図示のような碍子連吊り枠体１０を使用することである。この碍子連吊り枠体１０は、図４に詳細に図示されるように、下部側の水平材１１と上部側の長さの等しい２つの斜材１２，１２とを三角形に一体的に組み付ける共に、水平材１１の一端部には長さの短い脚杆１３を、また水平材１１の他端部には脚杆１３より長さの長い脚杆１４を夫々垂下連結し、また両斜材１２，１２の上端突き合わせ部分から水平材１１に補強材１５を垂下することによって、剛接構造の枠体を形成したものである。尚、長さの短い脚杆１３の下端と長い脚杆１４の下端とを結ぶ線Ｑと、水平線Ｈとの成す角度αは、図２に示すように傾斜状に設置されている碍子連４の、水平線Ｈとの角度と同じである。両斜材１２，１２の夫々上端部と補強材１５の上端部は頂部吊片１６に固着される。
【００１４】
また碍子連吊り枠体１０の水平材１１には、両脚杆１３，１４の間に吊支用ロープ１７が所定間隔おきに複数本垂下されていて、碍子連４の両端部を夫々碍子交換具１８を介して水平材１１の両脚杆１３，１４に吊支する時に、それらの吊支用ロープ１７で碍子連４の中間部を吊支するようにしている。各吊支用ロープ１７の上端部は、水平材１１に固着してあるアイボルト１７ｏに取り付けられる。
【００１５】
上記碍子交換具１８は、図３の(b) に示すように、上部腕１８ａと、下部腕１８ｂと、上部腕１８ａの両端部上面側に取り付けられた一対の吊りワイヤー１８ｃ，１８ｃとからなり、下部腕１８ｂの一端部が上部腕１８ａの下面側一端部に枢着されると共に、下部腕１８ｂの他端部が、上部腕１８ａの他端部下面側に枢着されたボルト１８ｄに係脱自在に係合して、締付用の蝶ナット１８ｅにより締め付け固定されるようになった周知構造のもので、碍子連４の交換時には、図１０の(a) に示される碍子連４の所要位置に隣り合う碍子４ａ，４ａ間の連結軸体４ｂを上部腕１８ａと下部腕１８ｂとで抱持した状態に取り付けられるようになっている。
【００１６】
次に、本発明に係る碍子連４の取替方法について、図５〜図１０を参照しながら説明する。図５は、クレーンＫによって碍子連吊り枠体１０を取り替えるべき碍子連４の上方まで吊り上げた状態を示しており、図６はその拡大図である。尚、クレーンＫで碍子連吊り枠体１０を吊るには、碍子連吊り枠体１０の頂部吊片１６にＵボルト２１を取り付けて、このＵボルト２１にクレーンＫのフックＦを引っ掛けるようにする。
【００１７】
碍子連４の取替えにあたって、先ず、図７に示すようにＶ字形の両碍子連４，４の夫々ビーム側端部とビーム２との間に夫々作業用緊張ワイヤー１９を張架する。この作業用緊張ワイヤー１９の張架にあたっては、各碍子連４の端部に碍子交換具１８を取り付けて、この碍子交換具１８とビーム２の所要箇所との間に作業用緊張ワイヤー１９を張架する。尚、この作業用緊張ワイヤー１９には、図３の(c) に示すように、一般にシメラーと呼ばれる張線器２０が介装されていて、この張線器２０のハンドル２０ｏを揺動操作することにより、ワイヤー１９を容易に緊張させることができるようになっている。
【００１８】
こうしてＶ字形の両碍子連４，４のビーム側端部を夫々作業用緊張ワイヤー１９によりビーム２に強く引張した状態で、Ｖ字形の何れか一方の碍子連４のビーム側端部に碍子交換具１８Ａを取り付け、この碍子交換具１８Ａのワイヤー１８ｃを、クレーンＫによって吊り上げた碍子連吊り枠体１０の短い方の脚杆１３に引っ掛けて吊支すると共に、Ｖ字形の他方の碍子連４の母線側端部に碍子交換具１８Ｂを取り付け、この碍子交換具１８Ｂのワイヤー１８ｃを長い方の脚杆１４に引っ掛けて吊支し、そしてまた両脚杆１３，１４の間から垂下している複数本の吊支用ロープ１７…によって当該一方の碍子連４の中間部を吊支した状態とする。
【００１９】
上記のようにビーム側端部を作業用緊張ワイヤー１９によってビーム２側に引き付けた状態で碍子連吊り枠体１０によって吊支した碍子連４の両端部を、ビーム２及び母線３側から夫々切り離す。この切り離しにあたっては、碍子連４のビーム２側端部はＵボルト７をビーム２から取り外し、母線３側端部は引止金具８に取り付けてある取付用ボルト９を引止金具８から取す。この場合、碍子連４のビーム側端部を作業用緊張ワイヤー１９でビーム２側に強く引き付けているため、Ｕボルト７を容易にビーム２から取り外すことができる。こうして碍子連４の両端部をビーム２及び母線３側から切り離した後、図８の(a) に示すように、碍子連４をクレーンＫにより碍子連吊り枠体１０で吊支したまま地上に下ろし、碍子交換具１８Ａ，１８Ｂを外し、吊支用ロープ１７を解いて、当該一方の古い碍子連４を取り外し、図８の(b) に示す状態とする。
【００２０】
尚、碍子連４は、図３の(a) に示すように多数の碍子４ａ…を直列に連結して可撓性を有する構造体であることから、碍子連吊り枠体１０によって、ビーム側端部と母線側端部の両端部のみを吊ったのでは、中間部が垂れてしまって、破損するようなおそれもある。従って、図８の(a) に示すように碍子連４の中間部を複数本の吊支用ロープ１７…で吊支することによって、中間部の垂れを無くすることができる。
【００２１】
上記のように古い碍子連４を取り外した後、地上において新しい碍子連４を、図９に示すように碍子連吊り枠体１０に、取り外し前と全く同様に吊支してクレーンで吊り上げ、そして先ず、この新しい碍子連４の母線側端部を、碍子連４の取付位置で待っている引止金具８に取付用のボルトで繋ぎ、それから新しい碍子連４のビーム側端部とビーム２との間に作業用緊張ワイヤー１９を張架する。この作業用緊張ワイヤー１９の張架にあたっては、碍子連４の端部に碍子交換具１８を取り付け、この碍子交換具１８とビーム２の所要箇所との間に作業用緊張ワイヤー１９を張架する。
【００２２】
新しい碍子連４のビーム側端部とビーム２との間に作業用緊張ワイヤー１９を張架した後、この碍子連４のビーム側端部をビーム２にボルト６，７により繋ぐ。即ち、碍子連４のビーム側端部に取り付けてあるアイボルト６にＵボルト７を係入して、このＵボルト７をビーム２に取り付ける。この状態を図１０の(a) に示す。この場合、碍子連４のビーム側端部を作業用緊張ワイヤー１９によってビーム２側に強く引き付けているから、Ｕボルト７を容易にビーム２から取り付けることができる。
【００２３】
新しい碍子連４のビーム側端部をビーム２にボルト６，７によって繋いだ後、作業用緊張ワイヤー１９を取り外し、碍子連吊り枠体１０を取り外すことによって、Ｖ字形の一方の碍子連４の取替作業を終了する。この状態を図１０の(b) に示す。尚、碍子連吊り枠体１０を碍子連４から外すには、碍子交換具１８Ａ，１８Ｂを碍子連４から取り外し、各吊支用ロープ１７を解けばよい。
【００２４】
以上、母線３の端部に平面視Ｖ字形に配置された一対の碍子連４，４の一方の碍子連４を取り替える場合の一連の作業工程について説明したが、引き続き同じＶ字形碍子連４，４の他方の碍子連４を取り替える場合も、上述した一方の碍子連４の作業工程と全く同じ方法を実施すればよい。また、他のＶ字形碍子連４，４の取り替えについても、上述の作業工程と全く同様である。
【００２５】
以上説明したように、本発明に係る碍子連の取替方法は、下部側の水平材１１と上部側の長さの等しい２つの斜材１２，１２とを三角形に組み付ける共に、水平材１１の両端部に脚杆１３，１４を垂下連結してなる碍子連吊り枠体１０を使用し、先ず、Ｖ字形の両碍子連４，４の夫々ビーム側端部とビームとの間に夫々作業用緊張ワイヤー１９を張架し、この状態で、Ｖ字形の一方の碍子連４のビーム側端部に碍子交換具１８を取り付けて、クレーンＫで吊り上げた碍子連吊り枠体１０の両脚杆１３，１４の短い方の脚杆１３に吊支し、同碍子連４の母線側端部に碍子交換具１８を取り付けて長い方の脚杆１４に吊支し、その後、この碍子連４の両端部をビーム２及び引止金具８から切り離して、碍子連吊り枠体１０で吊支したまま地上に下ろし、古い碍子連４を取り外した後、新しい碍子連４を碍子連吊り枠体１０に上記同様に吊支してクレーンＫで吊り上げ、新しい碍子連４の母線側端部を引止金具８にボルト９で繋ぎ、ビーム側端部とビーム２の間に作業用緊張ワイヤー１９を張架した後、このビーム側端部をビーム２にボルト６，７で繋ぎ、碍子連吊り枠体１０を外すことによって、碍子連４を取り替えるようにしたから、従来の取替方法に比べると、碍子連の取替作業を大幅に短縮することができる。
【００２６】
特に、この取替方法に使用する碍子連吊り枠体１０においては、長さの短い脚杆１３の下端と長い脚杆１４の下端とを結ぶ線Ｑと、水平線Ｈとの成す傾斜角度αが、図２に示すように傾斜状に設置されている碍子連４の、水平線Ｈとの傾斜角度と同じになるように設定されているから、古い碍子連４の両端部をビーム２及び引止金具８から取り外し時は、この古い碍子連４を、設置時と同じ姿勢・位置に碍子連吊り枠体１０によって吊支でき、また新しい碍子連４を取り付ける時も、新しい碍子連４を、設置時と同じ姿勢・位置に碍子連吊り枠体１０によって吊支できることになり、これにより碍子連４の両端部のボルト６，７及び９の取外し及び取付け作業を容易迅速に行なうことができる。従って、例えば重量が５００ｋｇというような大型の碍子連を取り替えるのにきわめて好適である。
【図面の簡単な説明】
【００２７】
【図１】変電所設備の一部を示す正面図である。
【図２】(a) は図１の一部拡大正面図、(b) はその平面図、(c) は(b) の矢印Ｘで囲まれる部分の拡大図である。
【図３】(a) は碍子連の拡大正面図、(b) は碍子交換具の正面図、(c) は作業用緊張ワイヤー及び張線器を示す説明図である。
【図４】碍子連吊り枠体の拡大正面図である。
【図５】クレーンによって碍子連吊り枠体を、取り替えるべき碍子連の上方まで吊り上げた状態を示す説明図である。
【図６】図５の拡大図である。
【図７】本発明の取替方法によって碍子連を取り外している過程の説明図である。
【図８】(a) は取り外した碍子連を碍子連吊り枠体で吊支して地上へ下ろしている状態の説明図、(b) は取り外した碍子連を地上へ下ろした状態の説明図である。
【図９】新しい碍子連を碍子連吊り枠体で吊り上げている状態の説明図である。
【図１０】(a) は新しい碍子連を所定の設置個所に取り付けている状態の説明図であり、(b) は新しい碍子連を所定の設置個所に取り付け終えた状態の説明図である。
【符号の説明】
【００２８】
２            ビーム
３            母線
４            碍子連
６            アイボルト
７            Ｕボルト
８            引止金具
９            取付用ボルト
１０          碍子連吊り枠体
１１          水平材
１２          斜材
１３          短い方の脚杆
１４          長い方の脚杆
１７          吊支用ロープ
１８          碍子交換具
１９          作業用緊張ワイヤー
２０          張線器
【図１】
2008148424.tif 000003
【図２】
2008148424.tif 000004
【図３】
2008148424.tif 000005
【図４】
2008148424.tif 000006
【図５】
2008148424.tif 000007
【図６】
2008148424.tif 000008
【図７】
2008148424.tif 000009
【図８】
2008148424.tif 000010
【図９】
2008148424.tif 000011
【図１０】
2008148424.tif 000012
【手続補正書】
【提出日】平成19年2月2日(2007.2.2)
【手続補正１】
【補正対象書類名】明細書
【補正対象項目名】０００４
【補正方法】変更
【補正の内容】
【０００４】
上記課題を解決するための手段を、後述する実施形態の参照番号を付して説明すると、請求項１に係る発明は、変電所において対向するビーム２，２間に母線３の両端部が夫々平面視Ｖ字形に配置される一対の碍子連４，４を介して張架され、各碍子連４の一端部はビーム２にボルト６，７で繋がれ、その他端部は母線３の端部に連結された引止金具８にボルト９で繋がれている碍子連４の取替方法であって、
下部側の水平材１１と上部側の長さの等しい２つの斜材１２，１２とを三角形に組み付ける共に、水平材１１の両端部に長さの長短異なる脚杆１３，１４を垂下連結してなる碍子連吊り枠体１０を設けておいて、先ず、Ｖ字形の両碍子連４，４の夫々ビーム側端部とビームとの間に夫々作業用緊張ワイヤー１９を張架し、この状態で、Ｖ字形の何れか一方の碍子連４のビーム側端部に碍子交換具１８Ａを取り付けて、クレーンＫで吊り上げた碍子連吊り枠体１０の短い方の脚杆１３に吊支すると共に、同碍子連４の母線側端部に碍子交換具１８Ｂを取り付けて、長い方の脚杆１４に吊支し、その後、この碍子連４の両端部をビーム２及び引止金具８から切り離して、碍子連吊り枠体１０で吊支したまま地上に下ろして取り外した後、新しい碍子連４を碍子連吊り枠体１０に上記同様に吊支してクレーンＫで吊り上げ、新しい碍子連４の母線側端部を引止金具８にボルト９で繋ぎ、そのビーム側端部とビーム２の間に作業用緊張ワイヤー１９を張架した後、このビーム側端部をビーム２にボルト６，７で繋ぎ、碍子連吊り枠体１０を外すことによって、Ｖ字形の何れか一方の碍子連４を取り替えるようにしたことを特徴とする。
【手続補正２】
【補正対象書類名】明細書
【補正対象項目名】０００７
【補正方法】変更
【補正の内容】
【０００７】
上記解決手段による発明の効果を、後述する実施形態の参照番号を付して説明すると、請求項１に係る発明によれば、従来の取替方法に比べると、碍子連の取替作業を大幅に短縮することができる。特に本発明の取替方法は、碍子連吊り枠体１０を使用するもので、Ｖ字形の両碍子連４，４の夫々ビーム側端部とビームとの間に夫々作業用緊張ワイヤー１９を張架した状態で、Ｖ字形の何れか一方の碍子連４のビーム側端部に碍子交換具１８Ａを取り付けて、クレーンＫで吊り上げた碍子連吊り枠体１０の短い方の脚杆１３に吊支すると共に、同碍子連４の母線側端部に碍子交換具１８Ｂを取り付けて長い方の脚杆１４に吊支ようにするから、古い碍子連４の両端部をビーム２及び引止金具８から取り外し時には、この古い碍子連４を、設置時と同じ姿勢・位置に碍子連吊り枠体１０によって吊支でき、また新しい碍子連４を取り付ける時も、新しい碍子連４を、設置時と同じ姿勢・位置に碍子連吊り枠体１０によって吊支でき、これにより碍子連４の両端部のボルト６，７及び９の取外し及び取付け作業を容易に行なうことができ、従って例えば５００ｋｇというような大型の碍子連を取り替えるのに好適となる。
【手続補正３】
【補正対象書類名】明細書
【補正対象項目名】０００８
【補正方法】変更
【補正の内容】
【０００８】
請求項２に係る発明によれば、碍子連吊り枠体１０の水平材１１には両脚杆１３，１４の間に吊支用ロープ１７を所定間隔おきに複数垂下しておいて、碍子連４の両端部を夫々碍子交換具１８Ａ，１８Ｂを介して水平材１１の両脚杆１３，１４に吊支する時に、上記吊支用ロープ１７で碍子連４の中間部を吊支するようにしたから、可撓性に構成されている碍子連４の中間部の垂れを無くし、碍子連４の破損を防止することができる。
【手続補正４】
【補正対象書類名】明細書
【補正対象項目名】００１４
【補正方法】変更
【補正の内容】
【００１４】
また碍子連吊り枠体１０の水平材１１には、両脚杆１３，１４の間に吊支用ロープ１７が所定間隔おきに複数本垂下されていて、碍子連４の両端部を夫々碍子交換具１８Ａ，１８Ｂ（図７）を介して水平材１１の両脚杆１３，１４に吊支する時に、それらの吊支用ロープ１７で碍子連４の中間部を吊支するようにしている。各吊支用ロープ１７の上端部は、水平材１１に固着してあるアイボルト１７ｏ（図４）に取り付けられる。
【手続補正５】
【補正対象書類名】明細書
【補正対象項目名】００１５
【補正方法】変更
【補正の内容】
【００１５】
上記碍子交換具１８（１８Ａ，１８Ｂ）は、図３の(b) に示すように、上部腕１８ａと、下部腕１８ｂと、上部腕１８ａの両端部上面側に取り付けられた一対の吊りワイヤー１８ｃ，１８ｃとからなり、下部腕１８ｂの一端部が上部腕１８ａの下面側一端部に枢着されると共に、下部腕１８ｂの他端部が、上部腕１８ａの他端部下面側に枢着されたボルト１８ｄに係脱自在に係合して、締付用の蝶ナット１８ｅにより締め付け固定されるようになった周知構造のもので、碍子連４の交換時には、図３の(a) に示される碍子連４の所要位置に隣り合う碍子４ａ，４ａ間の連結軸体４ｂを上部腕１８ａと下部腕１８ｂとで抱持した状態に取り付けられるようになっている。
【手続補正６】
【補正対象書類名】明細書
【補正対象項目名】００１６
【補正方法】変更
【補正の内容】
【００１６】
次に、本発明に係る碍子連４の取替方法について、図５〜図１０を参照しながら説明する。図５は、クレーンＫによって碍子連吊り枠体１０を取り替えるべき碍子連４の上方まで吊り上げた状態を示しており、図６はその拡大図である。尚、クレーンＫで碍子連吊り枠体１０を吊るには、図７に示すように、碍子連吊り枠体１０の頂部吊片１６にＵボルト２１を取り付けて、このＵボルト２１にクレーンＫのフックＦを引っ掛けるようにする。
【手続補正７】
【補正対象書類名】明細書
【補正対象項目名】００２１
【補正方法】変更
【補正の内容】
【００２１】
上記のように古い碍子連４を取り外した後、地上において新しい碍子連４を、図９に示すように碍子連吊り枠体１０に、取り外し前と全く同様に吊支してクレーンで吊り上げ、そして先ず、この新しい碍子連４の母線側端部を、碍子連４の取付位置で待っている引止金具８に取付用のボルトで繋ぎ、それから、図１０（ａ）に示すように、新しい碍子連４のビーム側端部とビーム２との間に作業用緊張ワイヤー１９を張架する。この作業用緊張ワイヤー１９の張架にあたっては、碍子連４の端部に碍子交換具１８を取り付け、この碍子交換具１８とビーム２の所要箇所との間に作業用緊張ワイヤー１９を張架する。
【手続補正８】
【補正対象書類名】明細書
【補正対象項目名】００２５
【補正方法】変更
【補正の内容】
【００２５】
以上説明したように、本発明に係る碍子連の取替方法は、下部側の水平材１１と上部側の長さの等しい２つの斜材１２，１２とを三角形に組み付ける共に、水平材１１の両端部に脚杆１３，１４を垂下連結してなる碍子連吊り枠体１０を使用し、先ず、Ｖ字形の両碍子連４，４の夫々ビーム側端部とビームとの間に夫々作業用緊張ワイヤー１９を張架し、この状態で、Ｖ字形の一方の碍子連４のビーム側端部に碍子交換具１８Ａを取り付けて、クレーンＫで吊り上げた碍子連吊り枠体１０の両脚杆１３，１４の短い方の脚杆１３に吊支し、同碍子連４の母線側端部に碍子交換具１８Ｂを取り付けて長い方の脚杆１４に吊支し、その後、この碍子連４の両端部をビーム２及び引止金具８から切り離して、碍子連吊り枠体１０で吊支したまま地上に下ろし、古い碍子連４を取り外した後、新しい碍子連４を碍子連吊り枠体１０に上記同様に吊支してクレーンＫで吊り上げ、新しい碍子連４の母線側端部を引止金具８にボルト９で繋ぎ、ビーム側端部とビーム２の間に作業用緊張ワイヤー１９を張架した後、このビーム側端部をビーム２にボルト６，７で繋ぎ、碍子連吊り枠体１０を外すことによって、碍子連４を取り替えるようにしたから、従来の取替方法に比べると、碍子連の取替作業を大幅に短縮することができる。
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
変電所において対向するビーム間に母線の両端部が夫々平面視Ｖ字形に配置される一対の碍子連を介して張架され、各碍子連の一端部はビームにボルトで繋がれ、その他端部は母線の端部に連結された引止金具にボルトで繋がれている碍子連の取替方法であって、
下部側の水平材と上部側の長さの等しい２つの斜材とを三角形に組み付ける共に、水平材の両端部に長さの長短異なる脚杆を垂下連結してなる碍子連吊り枠体を設けておいて、先ず、Ｖ字形の両碍子連の夫々ビーム側端部とビームとの間に夫々作業用緊張ワイヤーを張架し、この状態で、Ｖ字形の何れか一方の碍子連のビーム側端部に碍子交換具が取り付けられるが、該碍子交換具は、上部腕と、下部腕と、上部腕の両端部上面側に取り付けられた一対の吊りワイヤーとからなり、下部腕の一端部が上部腕の下面側一端部に枢着され、前記碍子連のビーム側端部は上部腕と下部腕とで抱持された状態で、下部腕の他端部が上部腕の他端部下面側に締め付け固定されるようになっており、このようにして該碍子交換具によって、前記碍子連のビーム側端部をクレーンで吊り上げた碍子連吊り枠体の短い方の脚杆に吊支すると共に、同様にして、同碍子連の母線側端部に碍子交換具が取り付けられて、長い方の脚杆に吊支し、その後、この碍子連の両端部をビーム及び引止金具から切り離して、碍子連吊り枠体で吊支したまま地上に下ろして取り外した後、新しい碍子連を碍子連吊り枠体に上記同様に吊支してクレーンで吊り上げ、新しい碍子連の母線側端部を引止金具にボルトで繋ぎ、そのビーム側端部とビームとの間に作業用緊張ワイヤーを張架した後、このビーム側端部をビームにボルトで繋ぎ、碍子連吊り枠体を外すことによって、Ｖ字形の何れか一方の碍子連を取り替えるようにした碍子連の取替方法。
【請求項２】
碍子連吊り枠体の水平材には両脚杆の間に吊支用ロープを所定間隔おきに複数垂下しておいて、碍子連の両端部を夫々碍子交換具を介して水平材の両脚杆に吊支する時に、上記吊支用ロープで碍子連の中間部を吊支するようにした請求項１に記載の碍子連の取替方法。
【請求項３】
作業用緊張ワイヤーには張線器を介装している請求項１又は２に記載の碍子連の取替方法。
【手続補正２】
【補正対象書類名】明細書
【補正対象項目名】０００４
【補正方法】変更
【補正の内容】
【０００４】
上記課題を解決するための手段を、後述する実施形態の参照番号を付して説明すると、請求項１に係る発明は、変電所において対向するビーム２，２間に母線３の両端部が夫々平面視Ｖ字形に配置される一対の碍子連４，４を介して張架され、各碍子連４の一端部はビーム２にボルト６，７で繋がれ、その他端部は母線３の端部に連結された引止金具８にボルト９で繋がれている碍子連４の取替方法であって、
下部側の水平材１１と上部側の長さの等しい２つの斜材１２，１２とを三角形に組み付ける共に、水平材１１の両端部に長さの長短異なる脚杆１３，１４を垂下連結してなる碍子連吊り枠体１０を設けておいて、先ず、Ｖ字形の両碍子連４，４の夫々ビーム側端部とビームとの間に夫々作業用緊張ワイヤー１９を張架し、この状態で、Ｖ字形の何れか一方の碍子連４のビーム側端部に碍子交換具１８Ａが取り付けられるが、該碍子交換具１８Ａは、上部腕１８ａと、下部腕１８ｂと、上部腕１８ａの両端部上面側に取り付けられた一対の吊りワイヤー１８ｃ，１８ｃとからなり、下部腕１８ｂの一端部が上部腕１８ａの下面側一端部に枢着され、前記碍子連４のビーム側端部は上部腕１８ａと下部腕１８ｂとで抱持された状態で、下部腕１８ｂの他端部が上部腕１８ａの他端部下面側に締め付け固定されるようになっており、このようにして該碍子交換具１８Ａによって、前記碍子連４のビーム側端部をクレーンで吊り上げた碍子連吊り枠体１０の短い方の脚杆１３に吊支すると共に、同様にして、同碍子連４の母線側端部に碍子交換具１８Ｂが取り付けられて、長い方の脚杆１４に吊支し、その後、この碍子連４の両端部をビーム２及び引止金具８から切り離して、碍子連吊り枠体１０で吊支したまま地上に下ろして取り外した後、新しい碍子連４を碍子連吊り枠体１０に上記同様に吊支してクレーンＫで吊り上げ、新しい碍子連４の母線側端部を引止金具８にボルト９で繋ぎ、そのビーム側端部とビーム２の間に作業用緊張ワイヤー１９を張架した後、このビーム側端部をビーム２にボルト６，７で繋ぎ、碍子連吊り枠体１０を外すことによって、Ｖ字形の何れか一方の碍子連４を取り替えるようにしたことを特徴とする。